(57)【要約】サービング・ネットワーク・エンティティとの第１の無線リンク、およびターゲット・ネットワーク・エンティティとの第２の無線リンクを構築するステップと、サービング・ネットワーク・エンティティからターゲット・ネットワーク・エンティティへのソフト・ハンドオーバを開始するステップと、サービングおよびターゲット・ネットワーク・エンティティを含むネットワークから品質目標を受信するステップと、品質目標を第１の無線リンクにのみ適用して電力制御コマンドを生成するステップと、を含む方法。【選択図】図１
2008539634.tif 000002
【特許請求の範囲】
【請求項１】
サービング・ネットワーク・エンティティとの第１の無線リンク、およびターゲット・ネットワーク・エンティティとの第２の無線リンクを構築することと、
前記サービング・ネットワーク・エンティティから前記ターゲット・ネットワーク・エンティティへのソフト・ハンドオーバを開始することと、
前記サービングおよびターゲット・ネットワーク・エンティティを含むネットワークから品質目標を受信することと、
電力制御コマンドを生成するために、前記品質目標を前記第１の無線リンクにのみ適用することと、
を含む、方法。
【請求項２】
前記ソフト・ハンドオーバが、前記サービング・ネットワーク・エンティティからの第１の共有チャネルおよび前記ターゲット・ネットワーク・エンティティからの第２の共有チャネルを同時に受信することを特徴とする、請求項１に記載の方法。
【請求項３】
前記第１および前記第２の無線リンクがＦ−ＤＰＣＨ無線リンクであって、前記サービング・ネットワーク・エンティティがＨＳ−ＤＳＣＨサービング・セルである、請求項１に記載の方法。
【請求項４】
前記品質目標が、前記第１の無線リンク用のダウンリンクＴＰＣコマンド誤り率目標値を含む、請求項３に記載の方法。
【請求項５】
信号対干渉比（ＳＩＲ）目標値を設定することと、
前記ＳＩＲ目標値を調整して前記品質目標と同等の信号品質を達成することと、
をさらに含む、請求項１に記載の方法。
【請求項６】
前記電力制御コマンドを送信することをさらに含む、請求項１に記載の方法。
【請求項７】
サービング・ネットワーク・エンティティとＵＥとの間の第１の無線リンク、およびターゲット・ネットワーク・エンティティと前記ＵＥとの間の第２の無線リンクを構築することと、
前記サービング・ネットワーク・エンティティから前記ターゲット・ネットワーク・エンティティへのソフト・ハンドオーバを開始することと、
前記サービング・ネットワーク・エンティティおよび前記ターゲット・ネットワーク・エンティティを含むネットワークから品質目標を送信することと、
前記ＵＥから、前記品質目標の前記送信に応じて生成された電力制御コマンドを前記第１の無線リンクのみを使用して受信することと、
を含む、方法。
【請求項８】
前記ネットワークが、ＵＭＴＳ地上無線アクセス・ネットワーク（ＵＴＲＡＮ）である、請求項７に記載の方法。
【請求項９】
前記ソフト・ハンドオーバが、前記サービング・ネットワーク・エンティティからの第１の共有チャネルおよび前記ターゲット・ネットワーク・エンティティからの第２の共有チャネルを同時に送信することを特徴とする、請求項７に記載の方法。
【請求項１０】
前記第１および前記第２の無線リンクがＦ−ＤＰＣＨ無線リンクであって、前記サービング・ネットワーク・エンティティがＨＳ−ＤＳＣＨサービング・セルである、請求項７に記載の方法。
【請求項１１】
前記品質目標が、前記第１の無線リンク用のダウンリンクＴＰＣコマンド誤り率目標値を含む、請求項７に記載の方法。
【請求項１２】
ワイヤレス・トランシーバと、
前記ワイヤレス・トランシーバに接続されているプロセッサと、
前記プロセッサに接続されていて、前記プロセッサによって実行可能な一連の命令を保存するメモリであって、前記命令が、品質目標を受信すると共に、電力制御コマンドを生成するために、前記品質目標をＨＳ−ＤＳＣＨサービング・セルとのＦ−ＤＰＣＨ無線リンクにのみ適用するための命令である、メモリと、
を含む、モバイル端末。
【請求項１３】
前記命令が、さらに、信号対干渉比（ＳＩＲ）目標値を設定し、前記ＳＩＲ目標値を調整して前記品質目標と同等の信号品質を達成するための命令である、請求項１２に記載のモバイル端末。
【請求項１４】
前記命令が、さらに、前記トランスミッタに前記電力制御コマンドを送信させる、請求項１３に記載のモバイル端末。
【請求項１５】
情報を担う媒体上に有形的に具現化される機械可読命令のプログラムであって、ネットワーク・エンティティ間におけるモバイル端末のハンドオーバのための機能を遂行すべくデジタル・データ・プロセッサによって実行可能であり、前記機能が、
サービング・ネットワーク・エンティティとの第１の無線リンク、およびターゲット・ネットワーク・エンティティとの第２の無線リンクを構築すること、
前記サービング・ネットワーク・エンティティから前記ターゲット・ネットワーク・エンティティへのソフト・ハンドオーバを開始すること、
前記サービングおよびターゲット・ネットワーク・エンティティを含むネットワークから品質目標を受信すること、
電力制御コマンドを生成するために、前記品質目標を前記第１の無線リンクにのみ適用すること、
を含む、プログラム。
【請求項１６】
前記電力制御コマンドを送信することをさらに含む、請求項１５に記載のプログラム。
【請求項１７】
前記ソフト・ハンドオーバが、前記サービング・ネットワーク・エンティティからの第１の共有チャネルおよび前記ターゲット・ネットワーク・エンティティからの第２の共有チャネルを同時に受信することを特徴とする、請求項１５に記載のプログラム。
【請求項１８】
前記品質目標が、前記第１の無線リンク用のダウンリンクＴＰＣコマンド誤り率目標値を含む、請求項１５に記載のプログラム。
【請求項１９】
信号対干渉比（ＳＩＲ）目標値を設定すること、
前記ＳＩＲ目標値を調整して前記品質目標と同等の信号品質を達成すること、
をさらに含む、請求項１５に記載のプログラム。
【請求項２０】
ワイヤレス・トランシーバと、
前記ワイヤレス・トランシーバに接続されているプロセッサと、
前記プロセッサに接続されていて、前記プロセッサによって実行可能な一連の命令を保存するメモリであって、前記命令が、品質目標を受信すると共に、電力制御コマンドを生成するために、前記品質目標をＨＳ−ＤＳＣＨサービング・セルとのＦ−ＤＰＣＨ無線リンクにのみ適用するための命令である、メモリと、
を含む、ネットワーク・エレメント。
【請求項２１】
前記命令が、さらに、信号対干渉比（ＳＩＲ）目標値を設定し、前記ＳＩＲ目標値を調整して前記品質目標と同等の信号品質を達成するための命令である、請求項２０に記載のネットワーク・エレメント。
【請求項２２】
前記命令が、さらに、前記トランスミッタに前記電力制御コマンドを送信させる、請求項２０に記載のネットワーク・エレメント。
【請求項２３】
それぞれが互いに接続されてモバイル端末との第１の無線リンクをワイヤレスに構築するようになっている第１のトランシーバ、第１のデジタル・プロセッサおよび第１のメモリを備えるサービング・ネットワーク・エレメントと、
それぞれが互いに接続されて前記モバイル端末との第２の無線リンクをワイヤレスに構築するようになっている第２のトランシーバ、第２のデジタル・プロセッサおよび第２のメモリを備えるターゲット・ネットワーク・エレメントとを含み、
前記モバイル端末が、第３のトランシーバ、第３のデジタル・プロセッサおよび第３のメモリを備え、それぞれが互いに接続されて前記第１および第２の無線リンクをワイヤレスかつ同時に受信し、前記サービングおよびターゲット・ネットワーク・エンティティを含むネットワークから品質目標を受信し、電力制御コマンドを生成するために前記品質目標を前記第１の無線リンクにのみ適用するよう構成される、ワイヤレス通信システム。
【請求項２４】
サービング・ネットワーク・エンティティとの第１の無線リンク、およびターゲット・ネットワーク・エンティティとの第２の無線リンクを構築する手段と、
前記サービング・ネットワーク・エンティティから前記ターゲット・ネットワーク・エンティティへのソフト・ハンドオーバを開始する手段と、
前記サービングおよびターゲット・ネットワーク・エンティティを含むネットワークから品質目標を受信する手段と、
電力制御コマンドを生成すべく前記品質目標を前記第１の無線リンクにのみ適用する手段と、
を含む、デバイス。
【請求項２５】
構築、開始、受信、および適用のための前記手段が、データ・プロセッサを含む、請求項２４に記載のデバイス。
【請求項２６】
ＨＳ−ＤＳＣＨサービング・セルからの無線リンクに属するＦ−ＤＰＣＨ用のダウンリンクＴＰＣコマンド誤り率目標値を含む品質目標をＵＴＲＡＮから受信する手段と、
ＳＩＲ目標値を設定する手段と、
前記品質目標を達成するべく前記ＳＩＲ目標値を調整する手段と、
を含む、集積回路。
【請求項２７】
情報を担う媒体上に有形的に具現化されてデジタル・データ・プロセッサによって実行可能な機械可読命令のプログラムであって、ネットワーク・エンティティ間におけるモバイル端末のハンドオーバに対する動作を実行させるようになっており、前記動作が、
ＨＳ−ＤＳＣＨサービング・セルからの無線リンクに属するＦ−ＤＰＣＨ用のダウンリンクＴＰＣコマンド誤り率目標値を含む品質目標をＵＴＲＡＮから受信すること、
ＳＩＲ目標値を設定すること、
前記品質目標を達成するべく前記ＳＩＲ目標値を調整すること、
を含む、プログラム。
【発明の詳細な説明】
【技術分野】
【０００１】
本発明の代表的な実施形態は、一般に、デジタル・セルラ通信のシステム、方法、端末およびコンピュータ・プログラムに関し、特に、現在のサービング・セルから次のサービング・セルへと端末を手渡すためのパケット・データ伝送技術に関する。
【背景技術】
【０００２】
以下の略語は、そのうちの少なくとも一部は後述の説明に現れるが、次のように定義される。
3GPP      第三世代移動体通信システム標準化プロジェクト（Third Generation Partnership Project）
ARQ       自動再送要求（Automatic Repeat Request）
BTS       基地局（Base Transceiver Station）
CFN       接続フレーム番号（Connection Frame Number）
CPICH     共通パイロット・チャネル（Common Pilot Channel）
DL        ダウンリンク（Downlink）
DPCH      個別物理チャネル（Dedicated Physical Channel）
F-DPCH    フラクショナル個別物理チャネル（Fractional Dedicated Physical Channel）
H-ARQハイブリッドARQ（Hybrid ARQ）
HSDPA     高速ダウンリンク・パケット接続（High-Speed Downlink Packet Access）
HS-DPCCH  高速個別物理制御チャネル（High-Speed Dedicated Physical Control Channel）
HS-DSCH   高速ダウンリンク共有チャネル（High-Speed Downlink Shared Channel）
HS-PDSCH  高速物理ダウンリンク共有チャネル（High-Speed Physical Downlink Shared Channel）
HS-SCCH   高速共有制御チャネル（High-Speed Shared Control Channel）
MAC       メディア・アクセス制御（Medium Access Control）
RLC       無線リンク制御（Radio Link Control）
RNC       無線ネットワーク制御装置（Radio Network Controller）
RNTI      無線ネットワーク一時識別子（Radio Network Temporary Identifier）
RRC       無線リソース制御（Radio Resource Control）
SHO       ソフト・ハンドオーバ（Soft Handover）
SRB       信号無線ベアラ（Signaling Radio Bearer）
SIR       信号対干渉比（Signal to Interference Ratio）
TPC       送信電力制御（Transmit Power Control）
TTI       送信時間間隔（Transmission Time Interval）
UE        ユーザ機器（User Equipment）
UL        アップリンク（Uplink）
UMTS      ユニバーサル移動体通信システムC304（Universal Mobile Telecommunications System C304）
UTRA-FDD  UMTS地上無線アクセス-周波数分割複信（UMTS Terrestrial Radio Access-Frequency Division Duplex）
UTRAN     UMTS地上無線アクセス・ネットワーク（UMTS Terrestrial Radio Access Network）
VoIP      ボイス・オーバ・インターネット・プロトコル（Voice Over Internet Protocol）
WCDMA     広帯域符号分割多元接続（Wideband Code Division Multiple Access）
【０００３】
ＵＴＲＡ−ＦＤＤ（ＷＣＤＭＡ）におけるＤＬパケット・データ伝送は、３ＧＰＰ  ＴＳ  ２５．２１４技術仕様のリリース６に含まれている機能であり、フラクショナルＤＰＣＨ（Ｆ−ＤＰＣＨ）のサポート、およびＨＳ−ＤＳＣＨ上のＳＲＢマッピングのサポートを受けている。
【０００４】
ＨＳＤＰＡが採用される際のコード使用を低減するために、フラクショナルＤＰＣＨが導入された。Ｆ−ＤＰＣＨでは、ＵＥによってダウンリンク電力制御コマンドを生成するために新しく品質目標が指定されている。具体的には、フラクショナルＤＰＣＨ（Ｆ−ＤＰＣＨ）のコンセプトが最初に認められたとき、ＤＬ電力制御コマンドの生成は、Ｆ−ＤＰＣＨ用のダウンリンクＴＰＣコマンド誤り率目標値を使用する品質目標に基づくべきであることが決定された。しかし、ＳＨＯの状態にあるときに、全ての無線リンクに関して品質基準を満たす必要があるかどうかは、さらなる研究課題として残された。
【０００５】
この分野における先行提案（エリクソン（Ericsson）、Ｒ１−０５００９８「Ｆ−ＤＰＣＨダウンリンク電力制御（F-DPCH Downlink Power Control）」）では、アクティブ・セット内の全無線リンクに関して品質目標を満たすことが必要とされる。しかし、このことは、Ｆ−ＤＰＣＨの伝送に過大な電力が使用されることにつながりかねない。大きなアクティブ・セットの中では、通常、一部のセルは検出されず、検出されない１つまたは複数のセルに関しても品質基準を満たそうとすれば、検出されるセルの電力を不必要に増加させることになる。
【０００６】
【非特許文献１】Third Generation Partnership Project(3GPP), Technical Specification Group(TSG), Radio Access Network(RAN), Working Group 1(WG1) Meeting No.40,Technical document(Tdoc) R1-050098,"F-DPCH Downlink Power Control,"Ericsson, February 2005
【好適な実施形態の概要】
【０００７】
以下教示する代表的な実施形態により、上述およびその他の問題は克服され、別の利点が実現される。
【０００８】
本発明の代表的な実施形態によれば、方法が、サービング・ネットワーク・エンティティとの第１の無線リンク、およびターゲット・ネットワーク・エンティティとの第２の無線リンクを構築することと、サービング・ネットワーク・エンティティからターゲット・ネットワーク・エンティティへのソフト・ハンドオーバを開始することと、サービングおよびターゲット・ネットワーク・エンティティを含むネットワークから品質目標を受信することと、電力制御コマンドを生成するために品質目標を第１の無線リンクにのみ適用することと、を含む。
【０００９】
本発明の別の代表的な実施形態によれば、方法が、サービング・ネットワーク・エンティティとＵＥとの間の第１の無線リンク、およびターゲット・ネットワーク・エンティティとＵＥとの間の第２の無線リンクを構築することと、サービング・ネットワーク・エンティティからターゲット・ネットワーク・エンティティへのソフト・ハンドオーバを開始することと、サービングおよびターゲット・ネットワーク・エンティティを含むネットワークから品質目標を送信することと、品質目標の送信に応じて生成された電力制御コマンドを第１の無線リンクのみを使用してＵＥから受信することと、を含む。
【００１０】
本発明の別の代表的な実施形態によれば、モバイル端末が、ワイヤレス・トランシーバ、ワイヤレス・トランシーバに接続されているプロセッサ、およびプロセッサに接続されて、プロセッサによって実行可能な一連の命令を保存するメモリを有し、上記一連の命令によって、品質目標を受信し、電力制御コマンドを生成すべく品質目標をＨＳ−ＤＳＣＨサービング・セルとのＦ−ＤＰＣＨ無線リンクにのみ適用する。
【００１１】
本発明の別の代表的な実施形態によれば、情報を担う媒体上に有形的に具現化されてデジタル・データ・プロセッサによって実行可能な機械可読命令のプログラムが、ネットワーク・エンティティ間におけるモバイル端末のハンドオーバに対する動作を実行させるようになっており、この動作には、サービング・ネットワーク・エンティティとの第１の無線リンク、およびターゲット・ネットワーク・エンティティとの第２の無線リンクを構築すること、サービング・ネットワーク・エンティティからターゲット・ネットワーク・エンティティへのソフト・ハンドオーバを開始すること、サービングおよびターゲット・ネットワーク・エンティティを含むネットワークから品質目標を受信すること、電力制御コマンドを生成すべく品質目標を第１の無線リンクにのみ適用すること、が含まれる。
【００１２】
本発明の別の代表的な実施形態によれば、ネットワーク・エレメントが、アンテナ、アンテナに接続されているトランシーバ、トランシーバに接続されているプロセッサ、およびプロセッサに接続されて、プロセッサによって実行可能な一連の命令を保存するメモリを有し、上記一連の命令によって、品質目標を受信し、電力制御コマンドを生成すべく品質目標をＨＳ−ＤＳＣＨサービング・セルとのＦ−ＤＰＣＨ無線リンクにのみ適用する。
【００１３】
本発明の別の代表的な実施形態によれば、ワイヤレス通信システムが、それぞれが互いに接続してモバイル端末との第１の無線リンクをワイヤレスに構築するようになっている第１のトランシーバ、第１のデジタル・プロセッサおよび第１のメモリを備えたサービング・ネットワーク・エレメントと、それぞれが互いに接続してモバイル端末との第２の無線リンクをワイヤレスに構築するようになっている第２のトランシーバ、第２のデジタル・プロセッサおよび第２のメモリを備えたターゲット・ネットワーク・エレメントとを備え、該通信システムでは、モバイル端末が、第３のトランシーバ、第３のデジタル・プロセッサおよび第３のメモリを備え、それぞれが互いに接続して第１および第２の無線リンクをワイヤレスかつ同時に受信し、サービングおよびターゲット・ネットワーク・エンティティを含むネットワークから品質目標を受信し、電力制御コマンドを生成すべく品質目標を第１の無線リンクにのみ適用するようになっている。
【００１４】
本発明の別の代表的な実施形態によれば、デバイスが、サービング・ネットワーク・エンティティとの第１の無線リンク、およびターゲット・ネットワーク・エンティティとの第２の無線リンクを構築するエレメントと、サービング・ネットワーク・エンティティからターゲット・ネットワーク・エンティティへのソフト・ハンドオーバを開始するエレメントと、サービングおよびターゲット・ネットワーク・エンティティを含むネットワークから品質目標を受信するエレメントと、電力制御コマンドを生成すべく品質目標を第１の無線リンクにのみ適用するエレメントと、を含む。
【００１５】
本発明の別の代表的な実施形態によれば、集積回路が、ＨＳ−ＤＳＣＨサービング・セルからの無線リンクに属するＦ−ＤＰＣＨ用のダウンリンクＴＰＣコマンド誤り率目標値を含む品質目標をＵＴＲＡＮから受信するエレメントと、ＳＩＲ目標値を設定するエレメントと、品質目標を達成するようにＳＩＲ目標値を調整するエレメントと、を含む。
【００１６】
本発明の別の代表的な実施形態によれば、情報を担う媒体上に有形的に具現化されてデジタル・データ・プロセッサによって実行可能な機械可読命令のプログラムが、ネットワーク・エンティティ間におけるモバイル端末のハンドオーバに対する動作を実行させるようになっており、この動作には、ＨＳ−ＤＳＣＨサービング・セルからの無線リンクに属するＦ−ＤＰＣＨ用のダウンリンクＴＰＣコマンド誤り率目標値を含む品質目標をＵＴＲＡＮから受信すること、ＳＩＲ目標値を設定すること、品質目標を達成するようにＳＩＲ目標値を調整すること、が含まれる。
【００１７】
本発明の代表的な実施形態の前述およびその他の態様は、以下の詳細な説明を添付の図面とあわせて読むことによって、さらに明確になる。
【詳細な説明】
【００１８】
図１を参照すると、本発明を実現するのに使用される主要なエレメントを表して簡略化したブロック図が示されており、具体的には、ユーザ機器（ＵＥ)１０とも称されるＨＳＤＰＡ端末１０、第１の（現在、サービング中の）ＢＴＳ（ＢＴＳ１）および第２の（ターゲットの）ＢＴＳ（ＢＴＳ２）が示されている。
【００１９】
本明細書中で使用されているＢＴＳは、それぞれ３ＧＰＰ  ２５シリーズ仕様用語のノードＢと機能的に同等とするが、これは本発明の実施に制限を加えるものではない。さらに、ハンドオーバがセル間であるかセル内であるかは、本発明に無関係である。ハンドオーバは、通常、ＨＳＤＰＡ端末１０のセル移行について言及しているものとする。
【００２０】
図１に示されるように、ＨＳＤＰＡ端末１０は、データ・プロセッサ（ＤＰ）１４に接続されている好適なワイヤレス・トランシーバ１２を備え、該データ・プロセッサは、さらに揮発性および／または不揮発性のメモリ１６を含むかまたはこれと接続している。ＤＰ１４は、コンピュータ・チップ上で動作する集積回路とすることができる。メモリ１６は、ＢＴＳ１およびＢＴＳ２に対して動作するようにＤＰ１４によって実行可能なプログラム・コードを保存し、該プログラム・コードには、本発明のＨＳＤＰＡ端末１０の態様を実現するようになっているプログラム・コードなどがある。図示されてはいないが、当然のことながら、各ＢＴＳは同じように構成されている。ＲＮＣ２０も、ＤＰと、ＲＮＣのＤＰによって実行可能なプログラム・コードを保存するメモリとを備えている。ソース・ノードＢ（ＢＴＳ１）、ターゲット・ノードＢ（ＢＴＳ２）、およびＲＮＣ２０は、全てＵＴＲＡＮ１１内のネットワーク・エレメントとみなすことができる。
【００２１】
一般に、本明細書中でＵＥ１０とも称されるＨＳＤＰＡ端末１０の多様な実施形態には、セルラ電話、ワイヤレスの通信能力を有するパーソナル・デジタル・アシスタント（ＰＤＡ）、ワイヤレスの通信能力を有する携帯用コンピュータ、ワイヤレスの通信能力を有するデジタル・カメラなどの画像取り込み用デバイス、ワイヤレスの通信能力を有するゲーム・デバイス、ワイヤレスの通信能力を有する音楽保存および再生用機器、ワイヤレスのインターネット接続およびブラウジングを可能にするインターネット機器のほか、上記のような機能の組み合わせを内蔵した携帯型ユニットまたは端末を含めることができるが、これらに限定されるものではない。
【００２２】
本発明の代表的な実施形態によれば、ソフト・ハンドオーバの手続き中、ＵＥ１０が２つ以上のＤＬ信号を同時に受信しているときにＨＳＤＰＡサービング・セルの移行を向上させるために、Ｆ−ＤＰＣＨ電力制御コマンドを生成するＵＥ１０の挙動を向上させて、Ｆ−ＤＰＣＨとの多重無線リンクがアクティブとなっている場合に備える必要がある。具体的には、本発明の代表的な実施形態は、Ｆ−ＤＰＣＨがＳＨＯ状態にある場合に、ＵＥ１０が品質目標を適用する対象として、単数または複数の無線リンクを特定する動作に対応している。
【００２３】
前述のように、リンクのアクティブ・セット内の全無線リンクに関して品質目標を満たすようにすると、ＵＥ１０が電力制御コマンドを決めるときに、ＨＳ−ＤＳＣＨサービング・セルからの無線リンクは確実に考慮に入れられる。しかしながら、そうすることによって、Ｆ−ＤＰＣＨの伝送に過大な電力が使用されることになりかねない。大きなアクティブ・セットでは、通常、一部のセルは検出されず、これらの信号の品質標準を満たすことになると、検出可能なセルの電力が不必要に高くなる。
【００２４】
仮に無線リンクのうちの１つにのみ関して品質目標を達成するとしたら、電力制御の動作は、通常、最強リンクの品質目標に基づくことになる。この最強リンクが、ＨＳ−ＤＳＣＨサービング・セルからのリンクでないと、問題が生じる。無線リンクの故障基準は、少なくとも一部が、ＨＳ−ＤＳＣＨサービング・セルからのＦ−ＤＰＣＨを元に見積もられた同期基本命令に基づいているのだから、電力制御によって、ＨＳ−ＤＳＣＨサービング・セルからのＦ−ＤＰＣＨの電力を調整できるようになっていることが重要である。
【００２５】
本発明の代表的な実施形態によれば、ＵＥ１０は、品質目標をＨＳ−ＤＳＣＨサービング・セルからの無線リンクにのみ適用することによって、電力制御コマンドを生成する。この技術は、ＨＳ−ＤＳＣＨサービング・セルから受信したＴＰＣコマンド品質にのみ基づいて見積もられるＦ−ＤＰＣＨでのダウンリンク同期基準の操作と互換性がある。サービング中のＨＳ−ＤＳＣＨサービング・セルの品質が満たされるようにＵＥ１０が電力制御コマンドを生成するとき、ＨＳ−ＤＳＣＨサービング・セル品質の指標として利用するために、ダウンリンク同期基本命令を採用することができる。
【００２６】
自立的なＵＥ１０無線リンク故障基準を採用することもでき、これはダウンリンク同期基本命令に基づいているものが望ましい。さらに、ＵＥ１０がどのノードＢに対してＤＬ電力制御をしているかをＵＴＲＡＮが把握しているので、必要に応じて、この電力制御コマンドを他の無線リンク中で考慮することもできる。
【００２７】
図２を参照すると、本発明の方法の代表的な実施形態が説明されている。ステップＡで、ＵＥ１０がソフト・ハンドオーバの実行を開始する。このとき、ＵＥ１０は、少なくとも１つの無線リンクをＢＴＳ１（ＨＳ−ＤＳＣＨサービング・セル）との間に、さらに少なくとも１つの無線リンクをＢＴＳ２（ターゲット・セル）との間に構築してある。ステップＢで、ＵＴＲＡＮ１１が、Ｆ−ＤＰＣＨ用の品質目標を設定する。ステップＣで、ＵＴＲＡＮ１１は、ＵＥ１０によって受信されるように品質目標を送信し、この品質目標はステップＤで受信される。ＵＥ１０は、自立的にＳＩＲ目標値を設定し、ＵＴＲＡＮ１１によって設定された品質目標と同等の品質を達成できるようにこれを調整する。品質目標は、ＵＴＲＡＮ１１によって信号伝達されると、ＨＳ−ＤＳＣＨサービング・セルからの無線リンクに属するＦ−ＤＰＣＨ用のダウンリンクＴＰＣコマンド誤り率目標値として設定される。ＵＥ１０は、Ｆ−ＤＰＣＨがセットアップまたは再構成されたら、ＳＩＲ目標を設定する。ＵＥ１０は、電力制御が現行の値に収束するまでは、ＳＩＲ目標値を上昇させない。ＵＥ１０は、平均した測定ＳＩＲと、ＳＩＲ目標値とを比較することにより、電力制御が現行の値に収束したかどうかを見積もるとよい。最後にステップＥで、ＵＥ１０は、品質目標をＨＳ−ＤＳＣＨサービング・セルからの無線リンクにのみ適用することによって、電力制御コマンドを生成する。上記の代表的な実施形態では、Ｆ−ＤＰＣＨ用の品質目標がＵＥ１０へ信号伝達されるのに先立ってソフト・ハンドオーバの開始を記載しているが、これらのステップが行われる順序は、図２で説明および図示されている順序と異なっていてもよい。
【００２８】
本発明の範囲には、全てのＦ−ＤＰＣＨからのＴＰＣコマンド品質に適応するように、ノンサービング・セルがダウンリンク電力オフセットを適用できるようにすることも含まれる。
【００２９】
本発明の代表的な実施形態の使用によって生じる利点には、ＨＳ−ＤＳＣＨサービング・セルからの十分な電力を確保し、Ｆ−ＤＰＣＨ用の無線リンク故障基準との互換性を得ることが挙げられるが、これに限定するものではない。さらに、ネットワークが、アクティブ・セット内の検出できない無線リンク上の電力を無駄使いしなくなる。
【００３０】
本発明の限定されない実施形態の上記の記述からわかるように、本発明の一態様は、品質目標をＨＳ−ＤＳＣＨサービング・セルからの無線リンクにのみ適用することにより、ＵＥの生成する電力制御コマンドを用いて、サービング・セルからターゲット・セルへのハンドオーバをＵＥ１０に実行させる装置、方法およびコンピュータ・プログラムに関する。
【００３１】
上記の記述により、代表的であり限定されない用例として、本発明の実行のために発明者らによって現在検討されている最良の方法および装置の徹底的かつ有益な説明を行ってきた。一方、当業者であれば、添付の図面および添付の請求項とあわせて読むと、上記記載に鑑み、多様な変更および調節が明らとなる。しかし、本発明の教示に関する上記および類似の変更も全て、本発明の範囲内に含まれる。
【００３２】
一般に、多様な実施形態が、ハードウェア、もしくは特殊用途向け回路、ソフトウェア、論理、またはこれらの任意の組み合わせの中で実現されればよい。例えば、一部の態様はハードウェア内で実現されるとよく、一方、別の態様はファームウェアまたはソフトウェア内で実現されてコントローラ、マイクロ・プロセッサ、またはその他のコンピュータ・デバイスによって実行されるとよいが、本発明はこれらに限定されるものではない。本発明の多様な態様は、ブロック図、フロー・チャート、または他の何らかの図形的表現を使用して図示および説明することができ、当然のことながら、本明細書中に記載されたこられのブロック、装置、システム、技術または方法が、限定されない用例として、ハードウェア、ソフトウェア、ファームウェア、特定用途向け回路または論理、汎用ハードウェアまたはコントローラまたはその他のコンピュータ・デバイス、もしくはこれらの一部の組み合わせの中で実現されるとよい。
【００３３】
本発明の実施形態は、集積回路モジュールなど多様なコンポーネントの中で実施することができる。集積回路の設計は、概して高度に自動化されている工程である。論理レベルの設計を、半導体基板上にそのままエッチングおよび形成される半導体回路設計へと変換するための、複雑かつ強力なソフトウェア・ツールが利用可能である。
【００３４】
カリフォルニア州マウンテン・ビュー（Ｍｏｕｎｔａｉｎ  Ｖｉｅｗ）のシノプシス社（Ｓｙｎｏｐｓｙｓ，Ｉｎｃ．）、およびカリフォルニア州サン・ノゼ（Ｓａｎ  Ｊｏｓｅ）のケイデンス・デザイン社（Ｃａｄｅｎｃｅ  Ｄｅｓｉｇｎ）から提供されているようなプログラムでは、確立した設計ルールのほか、事前に保存した設計モジュールのライブラリを使用して、半導体チップ上の半導体ルーティングおよびコンポーネント設置を自動的に行う。半導体回路の設計が完成したら、標準化された電子形式（例えば、Ｏｐｕｓ、ＧＤＳＩＩまたは同様のもの）となった設計は、半導体製造施設すなわち「ｆａｂ」へ、製造のために送られればよい。
【００３５】
当業者であれば、添付の図面とあわせて読むと、上記記載に鑑み多様な変更および調節が明らかとなる。しかし、本発明の教示のありとあらゆる変更も、本発明の限定されない実施形態の範囲内に含まれる。
【００３６】
さらに、本発明の限定されない多様な実施形態の一部の機能を利用して、他の機能の肩代わりをさせることもできる。このように、上記の記述は、本発明の原理、教示および代表的な実施形態の説明的なものに過ぎず、これを制限するものと見なしてはならない。
【図面の簡単な説明】
【００３７】
【図１】本発明を実現するのに使用される主要なエレメントを示している簡略化したブロック図である。
【図２】本発明の方法の代表的な実施形態の図である。
【図１】
2008539634.tif 000003
【図２】
2008539634.tif 000004
【国際調査報告】
2008539634.tif 000005
2008539634.tif 000006
2008539634.tif 000007
2008539634.tif 000008
2008539634.tif 000009